(57)【要約】      （修正有）【課題】収容室内で移動可能な永久磁石の磁力により、複数の装着外周面の中の任意の装着外周面を掲示板などの平面体に装着することが可能なマグネット保持具を提供する。【解決手段】メモ用紙保持具は、非磁性材料から構成されるフレームと、メモ用紙ＭＰを保持するためにフレームに設けられる保持部４０とを備える。掲示板などの平面体ＰＬに装着するためにフレームの外周部の少なくとも一部は、複数の装着外周面から形成される。収容室５０が、フレーム内に設けられ、複数の装着外周面とそれぞれ対応する複数の内周面を有し、永久磁石３を収容する。永久磁石３は、収容室５０内で移動可能に配置され、互いに対向する２つの吸着面が磁極を有する。吸着面は、各内周面に接触して位置するように、各内周面よりも小さく設定される。【選択図】図５
2011079258.tif 000002
【特許請求の範囲】
【請求項１】
非磁性材料から構成されるフレームと、
被保持物を保持するために前記フレームに設けられる保持部と、
掲示板などの平面体に装着するために前記フレームの外周部の少なくとも一部を形成する複数の装着外周面と、
前記フレーム内に設けられ、前記複数の装着外周面とそれぞれ対応する複数の内周面を有する収容室と、
前記収容室内で移動可能に配置され、互いに対向する２つの面が磁極を有する永久磁石であって、前記磁極を有する面が前記複数の内周面の各内周面に接触して位置するように、前記磁極を有する面が前記複数の内周面の各内周面よりも小さい永久磁石とを備えることを特徴とするマグネット保持具。
【請求項２】
前記永久磁石は、所定の厚さを有する永久磁石であり、
前記複数の内周面は、所定の角度で連結され、
前記複数の内周面の連結部分は、前記複数の内周面から前記収容室の内部に向かって突出する段差部を有し、
前記段差部の高さは、前記永久磁石の所定の厚さよりも小さいことを特徴とする請求項１に記載のマグネット保持具。
【請求項３】
前記段差部の高さは、前記永久磁石の所定の厚さの１／２よりも小さいことを特徴とする請求項２に記載のマグネット保持具。
【請求項４】
前記段差部は、前記複数の内周面の中で特定の内周面から起立する起立面を有し、
前記起立面は、前記特定の内周面に連結された他の内周面に平行であることを特徴とする請求項２または請求項３に記載のマグネット保持具。
【請求項５】
前記複数の装着外周面は、前記保持部と対向する前記フレームの外周部の所定位置に形成された第１の装着外周面と、前記第１の装着外周面の一側端に連結された第２の装着外周面と、前記第１の装着外周面の他側端に連結された第３の装着外周面とを含み、
前記第２の装着外周面が前記第１の装着外周面となす角度は、前記第３の装着外周面が前記第１の装着外周面となす角度と異なることを特徴とする請求項１乃至請求項４のいずれかに記載のマグネット保持具。
【請求項６】
前記第２および第３の装着外周面の中で少なくとも１つの装着外周面が前記第１の装着外周面となす角度は、鈍角であることを特徴とする請求項５に記載のマグネット保持具。
【請求項７】
前記フレームは、２つのフレーム分割体を接合することにより形成され、
前記保持部は、シート状の被保持物を挿入するための長溝を有し、
前記長溝は、前記２つのフレーム分割体が接合する面に沿って、各フレーム分割体に形成された切欠き部分から構成されることを特徴とする請求項１乃至請求項６のいずれかに記載のマグネット保持具。
【請求項８】
前記保持部は、前記２つのフレーム分割体の前記切欠き部分が形成された領域に設けられ、弾性を有する多数のひげ状突起を有し、
前記多数のひげ状突起は、ひげ状突起の先端が互いに向き合うように前記２つのフレーム分割体にそれぞれ配置され、
前記多数のひげ状突起は、前記長溝を介して互いに対向するひげ状突起の先端の間に挿入されたシート状の被保持物を保持することを特徴とする請求項７に記載のマグネット保持具。
【請求項９】
前記収容室は、前記フレームの外形寸法が最も長い長手方向において、前記保持部が設けられた前記フレームの第１の領域とは反対側の前記フレームの第２の領域に設けられ、
前記第１および第２の領域を仕切る仕切り壁が、前記フレーム内において前記長手方向と直交する方向に延びて設けられることを特徴とする請求項１乃至請求項８のいずれかに記載のマグネット保持具。
【発明の詳細な説明】
【技術分野】
【０００１】
本発明は、メモ用紙などの被保持物を保持する保持部を有し、掲示板などの平面体に永久磁石の磁力により装着可能なマグネット保持具に関する。
【背景技術】
【０００２】
従来、メモ用紙を保持するクリップ部を有し、掲示板などの平面体に永久磁石の磁力により装着可能なマグネット保持具が、よく知られている。たとえば、特許文献１には、メモ用紙ホルダーが開示されている。このメモ用紙ホルダーは、半球状本体を有する。Ｖ字形の差し込み口が半球状本体の球状面に形成され、永久磁石が半球状本体の底部に接着されている。一対の円柱形磁石が、差し込み口に配置されている。差し込み口から挿入されたメモ用紙が、両円柱形磁石の間で保持され、差し込み口および両円柱形磁石が、クリップ部を構成している。半球状本体の底部は、円形または楕円形の平面を有し、この底部に接着された永久磁石は、強磁性材料から構成された掲示板などの平面体に吸着することができる。
【０００３】
特許文献１に開示されたメモ用紙ホルダーにおいては、掲示板などの平面体に装着可能な平面は、永久磁石が接着された半球状本体の底部の平面のみである。このため、メモ用紙が保持される方向は、装着可能な単一の平面と交差する特定の方向に限られる。ユーザがメモ用紙ホルダーを棚や机の側面または下面に装着する場合には、差し込み口に挿入されたメモ用紙は、棚や机の側方または下方を向いた状態で保持されることになり、ユーザは、その保持されたメモ用紙を容易に見ることができず、任意の見易い方向にメモ用紙を保持することができない問題があった。
【先行技術文献】
【特許文献】
【０００４】
【特許文献１】実開平４−９６３８７号公報
【発明の概要】
【発明が解決しようとする課題】
【０００５】
そこで、本発明は、上記問題を解決するために、収容室内で移動可能な永久磁石の磁力により、複数の装着外周面の中の任意の装着外周面を掲示板などの平面体に装着することが可能なマグネット保持具を提供することを目的とする。
【課題を解決するための手段】
【０００６】
請求項１に記載の発明態様は、非磁性材料から構成されるフレームと、被保持物を保持するために前記フレームに設けられる保持部と、掲示板などの平面体に装着するために前記フレームの外周部の少なくとも一部を形成する複数の装着外周面と、前記フレーム内に設けられ、前記複数の装着外周面とそれぞれ対応する複数の内周面を有する収容室と、前記収容室内で移動可能に配置され、互いに対向する２つの面が磁極を有する永久磁石であって、前記磁極を有する面が前記複数の内周面の各内周面に接触して位置するように、前記磁極を有する面が前記複数の内周面の各内周面よりも小さい永久磁石とを備える構成である。
【０００７】
本発明態様では、複数の装着外周面は、掲示板などの平面体と面接触することができる面であればよく、平坦面に限定されない。たとえば、装着外周面が凹凸を有する面であっても、部分的に面接触することが可能であればよい。また、複数の内周面は、永久磁石の磁極を有する面と面接触することができる面であればよく、平坦面に限定されない。たとえば、磁極を有する面が曲率半径の大きな曲面であれば、内周面は、この磁極を有する曲面と面接触することができる曲面であってもよい。
【０００８】
本発明態様では、複数の装着外周面は、少なくとも２つの装着外周面であればよく、その２つの装着外周面は互いに連結された面であってもよく、または分離した面であってもよい。たとえば、フレームの外周部が、六面体である場合、互いに対向する２つの分離した面が複数の装着外周面であってもよい。
【０００９】
本発明態様では、保持部は、被保持物を保持するときにフレームに設けられているのであれば、フレームに固定されているものに限定されない。たとえば、保持部は、フレームに対して着脱可能な構成であってもよい。
【００１０】
本発明態様では、永久磁石は、互いに対向する２つの面が磁極を有する磁石であれば、いかなる構成の永久磁石であっても良い。たとえば、磁極を有する一方の面全体がＮ極に磁化され、その一方の面と対向する他方の面全体が、Ｓ極に磁化される構成であっても良い。また、磁極を有する一方の面が、隣接するＮ極の領域とＳ極の領域とを有し、その一方の面と対向する他方の面が、一方の面とは反対の極性で、隣接するＳ極の領域とＮ極の領域とを有する構成であっても良い。
【００１１】
請求項２に記載の具体的態様は、前記永久磁石は、所定の厚さを有する永久磁石であり、前記複数の内周面は、所定の角度で連結され、前記複数の内周面の連結部分は、前記複数の内周面から前記収容室の内部に向かって突出する段差部を有し、前記段差部の高さは、前記永久磁石の所定の厚さよりも小さい構成である。
【００１２】
本具体的態様では、永久磁石の形状は、特に限定されない。たとえば、四角形、円形、楕円形、ドーナツ形などの形状であっても良い。永久磁石の軽量化を図りながら、永久磁石の吸着面の面積を大きくするためには、縦および横の長さが厚さよりも大きい板状の形状であることが好ましい。しかし、永久磁石の形状は、この板状の形状に限定されず、縦および横の長さが厚さと同じである形状であっても良い。
【００１３】
請求項３に記載の具体的態様は、前記段差部の高さは、前記永久磁石の所定の厚さの１／２よりも小さい構成である。
【００１４】
請求項４に記載の具体的態様は、前記段差部が、前記複数の内周面の中で特定の内周面から起立する起立面を有し、前記起立面が、前記特定の内周面に連結された他の内周面に平行である構成である。
【００１５】
請求項５に記載の具体的態様は、前記複数の装着外周面が、前記保持部と対向する前記フレームの外周部の所定位置に形成された第１の装着外周面と、前記第１の装着外周面の一側端に連結された第２の装着外周面と、前記第１の装着外周面の他側端に連結された第３の装着外周面とを含み、前記第２の装着外周面が前記第１の装着外周面となす角度が、前記第３の装着外周面が前記第１の装着外周面となす角度と異なる構成である。
【００１６】
本具体的態様では、第１の装着外周面に対する第２および第３の装着外周面のなす角度が異なるのであれば、その角度は、鋭角、直角、鈍角のいずれであってもよい。複数の装着外周面が、第１の装着外周面にそれぞれ連結された第４および第５の装着外周面を有する場合、第１の装着外周面に対する第４および第５の装着外周面のなす角度は、同じ角度であってもよい。
【００１７】
請求項６に記載の具体的態様は、前記第２および第３の装着外周面の中で少なくとも１つの装着外周面が前記第１の装着外周面となす角度が、鈍角である構成である。
【００１８】
請求項７に記載の具体的態様は、前記フレームが、２つのフレーム分割体を接合することにより形成され、前記保持部が、シート状の被保持物を挿入するための長溝を有し、前記長溝が、前記２つのフレーム分割体が接合する面に沿って、各フレーム分割体に形成された切欠き部分から構成される構成である。
【００１９】
請求項８に記載の具体的態様は、前記保持部が、前記２つのフレーム分割体の前記切欠き部分が形成された領域に設けられた多数のひげ状突起を有し、前記多数のひげ状突起が、ひげ状突起の先端が互いに向き合うように前記２つのフレーム分割体にそれぞれ配置され、前記多数のひげ状突起が、前記長溝を介して互いに対向するひげ状突起の先端の間に挿入されたシート状の被保持物を保持する構成である。
【００２０】
請求項９に記載の具体的態様は、前記収容室が、前記フレームの外形寸法が最も長い長手方向において、前記保持部が設けられた前記フレームの第１の領域とは反対側の前記フレームの第２の領域に設けられ、前記第１および第２の領域を仕切る仕切り壁が、前記フレーム内において前記長手方向と直交する方向に延びて設けられる構成である。
【発明の効果】
【００２１】
請求項１に記載の発明態様では、ユーザは、被保持物を保持したい場所に応じて、複数の装着外周面の中から任意の装着外周面を選んで被保持物を保持することができる。また、永久磁石は、収容室内で自由に移動可能であることから、ユーザがいずれの装着外周面を選んだときでも、その選ばれた装着外周面に対向する内周面に円滑に移動して、掲示板などの平面体に吸着力を及ぼすことができる。このため、複数の装着外周面に複数の永久磁石が埋設された構造と比べ、マグネット保持具全体が軽量化され、その取り扱いが容易になる。
【００２２】
請求項２および請求項３に記載の具体的態様では、段差部が複数の内周面の連結部分に設けられていることから、永久磁石が特定の内周面から他の内周面へ移動するときに、永久磁石の厚さ方向の面が、その永久磁石の厚さより低い段差部の先端部を中心に容易に傾くことができ、永久磁石は特定の内周面から他の内周面へ円滑に移動することができる。特に、段差部の高さが永久磁石の厚さの１／２より小さいことで、永久磁石は特定の内周面から他の内周面へ、一層円滑にかつ確実に移動することができる。
【００２３】
請求項４に記載の具体的態様では、段差部の起立面が、特定の内周面に連結された他の内周面に平行であることから、永久磁石が特定の内周面から他の内周面へ移動するときに、永久磁石の厚さ方向の面が、起立面に沿って他の内周面に向かって傾き易くなり、永久磁石は特定の内周面から他の内周面へ、一層円滑にかつ確実に移動することができる。
【００２４】
請求項５および請求項６に記載の具体的態様では、保持部と対向する第１の装着外周面と、第１の装着外周面の両側端に連結された第２および第３の装着外周面とが設けられ、第１の装着外周面に対する第２および第３の装着外周面がなす角度が、異なる。この結果、ユーザは、任意の装着外周面を選ぶことにより、少なくとも第１乃至第３の装着外周面に対応する３つの異なる角度姿勢で被保持物を保持することができる。特に、第２および第３の装着外周面の中で少なくとも１つの装着外周面が第１の装着外周面となす角度が、鈍角であることから、ユーザが棚や机の下面に被保持物を保持したときでも、保持部により保持された被保持物が下面に当たってマグネット保持具の装着に支障が生ずることはない。
【００２５】
請求項７に記載の具体的態様では、保持部の長溝が、２つのフレーム分割体の接合面に沿って、各フレーム分割体に形成された切欠き部分から構成される。この結果、シート状の被保持物を挿入するための長溝が、比較的容易にかつ寸法精度良く形成される。
【００２６】
請求項８に記載の具体的態様では、保持部の多数のひげ状突起が、長溝を介して互いに対向するひげ状突起の先端の間に挿入されたシート状の被保持物を保持する。この結果、被保持物が、多数のひげ状突起による比較的強くて安定した保持力で、損傷することなく保持される。また、多数のひげ状突起を使用することにより、特別な保持力発生機構を備える必要がないことから、マグネット保持具全体の小型化が図られる。
【００２７】
請求項９に記載の具体的態様では、収容室が、フレームの長手方向において、保持部が設けられた第１の領域とは反対側の第２の領域に設けられ、両領域を仕切る仕切り壁が、フレーム内において長手方向と直交する方向に延びて設けられる。この結果、収容室が、仕切り壁と複数の内周面とで画定され、フレームの長手方向において比較的広い空間を確保することができることから、永久磁石が収容室内で一層円滑に移動することができる。
【図面の簡単な説明】
【００２８】
【図１】本発明の一実施形態に係るメモ用紙保持具１を分解して示す分解斜視図である。
【図２】本実施形態におけるフレーム分割体６、７を接合した状態でメモ用紙保持具１を前方から見た正面図である。
【図３】本実施形態におけるフレーム分割体６単体の内部構成を示す図面である。
【図４】本実施形態におけるフレーム分割体７単体の内部構成を示す図面である。
【図５】上記メモ用紙保持具１が水平な平面体ＰＬの上面からメモ用紙ＭＰを起立させて保持する状態において、メモ用紙保持具１の内部構成を示す縦断面図である。
【図６】上記メモ用紙保持具１が水平な平面体ＰＬの上面にメモ用紙ＭＰを倒して保持する状態において、メモ用紙保持具１の内部構成を示す縦断面図である。
【図７】上記メモ用紙保持具１が水平な平面体ＰＬの上面にメモ用紙ＭＰを傾斜させて保持する状態において、メモ用紙保持具１の内部構成を示す縦断面図である。
【図８】上記メモ用紙保持具１が垂直な平面体ＰＬの側面からメモ用紙ＭＰを側方に広げて保持する状態において、メモ用紙保持具１の内部構成の一部を示す部分断面図である。
【発明を実施するための形態】
【００２９】
＜実施形態＞
以下に、本発明のマグネット保持具を、メモ用紙を保持するメモ用紙保持具に適用した一実施形態について、図面を参照して説明する。本実施形態において、前後方向、左右方向、および上下方向は、図１乃至図４に矢印で示す方向として、説明する。
【００３０】
［メモ用紙保持具１の構成］
図１は、本実施形態に係るメモ用紙保持具１を分解して示す分解斜視図である。メモ用紙保持具１は、フレーム２と、永久磁石３と、一対の突起板４、５とから構成される。フレーム２は、第１のフレーム分割体６と、第２のフレーム分割体７とから構成される。両フレーム分割体６、７は、非磁性材料から構成され、たとえば、ＡＢＳ樹脂などの合成樹脂材料から構成される。永久磁石３は、磁力によりメモ用紙保持具１を掲示板などの平面体に装着するために使用される。一対の突起板４、５は、メモ用紙を保持するために使用される。
【００３１】
（フレーム２の構成）
フレーム２は、第１および第２のフレーム分割体６、７が接合されることにより、構成される。図２は、両フレーム分割体６、７が接合された状態のフレーム２全体を示している。図３および図４は、接合される前の第１のフレーム分割体６の内部構成、および接合される前の第２のフレーム分割体７の内部構成を示す。第１のフレーム分割体６は、互いに対向して上下方向に延びる一対の対向壁８、９と、両対向壁８、９の下方を連結する下方壁１０と、図２に示すように下方壁１０から左上方に傾斜する下方傾斜壁１１と、その下方傾斜壁１１から右上方に傾斜する上方傾斜壁１２とを有する。第２のフレーム分割体７は、互いに対向して上下方向に延びる一対の対向壁１３、１４と、両対向壁１３、１４の下方を連結する下方壁１５と、図２に示すように下方壁１５から上方に起立する起立壁１６とを有する。
【００３２】
図３において、第１のフレーム分割体６は、その内部に、下方領域６Ａと、中間領域６Ｂと、上方領域６Ｃとを有する。第１の収容空間１７が、永久磁石３を収容するために下方領域６Ａに形成される。第１の配置空間１８が、突起板４を配置するために中間領域６Ｂに形成される。図４において、第２のフレーム分割体７は、その内部に、下方領域７Ａと、中間領域７Ｂと、上方領域７Ｃとを有する。第２の収容空間１９が、永久磁石３を収容するために下方領域７Ａに形成される。第２の配置空間２０が、突起板５を配置するために中間領域７Ｂに形成される。第１の仕切り壁２１が、下方領域６Ａと中間領域６Ｂとを仕切るために第１のフレーム分割体６の内部に水平方向に延びて形成され、第２の仕切り壁２２が、下方領域７Ａと中間領域７Ｂとを仕切るために第２のフレーム分割体７の内部に水平方向に延びて形成される。第１の補強壁２３が、中間領域６Ｂと上方領域６Ｃとの間で、第１のフレーム分割体６の内部に水平方向に延びて形成され、第２の補強壁２４が、中間領域７Ｂと上方領域７Ｃとの間で、第２のフレーム分割体７の内部に水平方向に延びて形成される。多数の補強リブ２５が、上方領域６Ｃにおいて上下方向に延びて形成され、多数の補強リブ２６が、上方領域７Ｃにおいて上下方向に延びて形成される。
【００３３】
図１および図３に示すように、一対の下方突部２７、２８が、下方壁１０と両対向壁８、９とが連結する部分にそれぞれ形成され、一対の上方突部２９、３０が、第１の仕切り壁２１と両対向壁８、９とが連結する部分にそれぞれ形成される。図１および図４に示すように、一対の下方凹部３１、３２が、一対の下方突部２７、２８と嵌合するように下方壁１５と両対向壁１３、１４とが連結する部分にそれぞれ形成され、一対の上方凹部３３、３４が、一対の上方突部２９、３０と嵌合するように第２の仕切り壁２２と両対向壁１３、１４とが連結する部分にそれぞれ形成される。４つの溶着用突部３５〜３８が、第２のフレーム分割体７の下方壁１５、第２の仕切り壁２２、および両対向壁１３、１４の下方領域７Ａに位置する部分に、それぞれ形成される。第２のフレーム分割体７の溶着用突部３５〜３８は、第１のフレーム分割体６の下方領域６Ａに位置する下方壁１０、第１の仕切り壁２１、および両対向壁８、９の接合面と接合するときに、超音波により溶融される。
【００３４】
図２に示すように、両フレーム分割体６、７が接合されると、下方壁１０の外周面は、下方壁１５の外周面と共に、同一の平面を構成し、両対向壁８、９の外周面は、両対向壁１３、１４の外周面と共に、同一の平面をそれぞれ構成する。両下方壁１０、１５の外周面により構成される第１の装着外周面は、下方傾斜壁１１の外周面により構成される第２の装着外周面と、鈍角、たとえば１２０度の角度をなす。第１の装着外周面は、起立壁１６の外周面により構成される第３の装着外周面と、直角をなす。また、第１の装着外周面は、両対向壁８、１３の外周面により構成される第４の装着外周面、および両対向壁９、１４の外周面により構成される第５の装着外周面と、それぞれ直角をなす。本実施形態における第１乃至第５の装着外周面が、本発明の複数の装着外周面の一例である。
【００３５】
両フレーム分割体６、７が接合されて形成されたフレーム２は、図２に示す高さである上下方向の寸法Ｌ１と、幅である左右方向の寸法Ｌ２と、図３および図４に示す奥行きである前後方向の寸法Ｌ３とを有する。本実施形態では、上下方向の寸法Ｌ１が、他の寸法Ｌ２、Ｌ３より長いことから、フレーム２の長手方向は、上下方向である。
【００３６】
（保持部４０の構成）
メモ用紙保持具１は、メモ用紙を保持するために両突起板４、５を含む保持部４０を備える。保持部４０は、両フレーム分割体６、７の中間領域６Ｂ、７Ｂ、および上方領域６Ｃ、７Ｃにおいて形成される。図１および図２において、一対の第１の直線切欠き部分４１、４２が、中間領域６Ｂに位置する両対向壁８、９の部分に、上下方向に直線状に延びて形成される。第１の傾斜切欠き部分４３が、上方領域６Ｃに位置する両対向壁８、９および上方傾斜壁１２の部分に、両直線切欠き部分４１、４２に連続して左上方に傾斜して形成される。また、一対の第２の直線切欠き部分４４、４５が、中間領域７Ｂに位置する両対向壁１３、１４の部分に、上下方向に直線状に延びて形成される。第２の傾斜切欠き部分４６が、上方領域７Ｃに位置する両対向壁１３、１４および起立壁１６の部分に、両直線切欠き部分４４、４５に連続して右上方に傾斜して形成される。
【００３７】
本実施形態では、第１および第２の直線切欠き部分４１、４２、４４、４５と、第１および第２の傾斜切欠き部分４３、４６とが、本発明の切欠き部分の一例であり、メモ用紙などのシート状の被保持物を挿入するための長溝を構成する。
【００３８】
両突起板４、５は、同じ構成を有し、ゴムなどの摩擦力および弾性力を有する材料から形成される。突起板４は、基板部４Ａと、基板部４Ａから傾斜して突出する多数のひげ状突起４Ｂとから構成される。両面粘着テープが基板部４Ａの裏面に貼付されており、基板部４Ａの裏面が、両面粘着テープにより第１の配置空間１８の内周面に固着される。同様に、突起板５も、基板部５Ａと、基板部５Ａから傾斜して突出する多数のひげ状突起５Ｂとから構成される。両面粘着テープが基板部５Ａの裏面に貼付されており、基板部５Ａの裏面が、両面粘着テープにより第２の配置空間２０の内周面に固着される。多数のひげ状突起４Ｂ、５Ｂは、下方に傾斜した状態で、先端が互いに接触するように配置される。図２に示すように、多数のひげ状突起４Ｂ、５Ｂの先端は、直線切欠き部分４１、４２、４４、４５から露出しており、メモ用紙が長溝に挿入されたときに、メモ用紙の表裏両面に摩擦接触して弾性力でメモ用紙を保持する。
【００３９】
（収容室５０の構成）
メモ用紙保持具１は、フレーム２の上下方向である長手方向において、保持部４０の下方に、永久磁石３を収容する収容室５０を備える。収容室５０は、両フレーム分割体６、７が接合されたときに、下方領域６Ａ、７Ａに位置する第１および第２の収容空間１７、１９により形成される。図５は、両フレーム分割体６、７が接合された状態でのフレーム２の内部を示す縦断面図である。図５において、収容室５０は、下方壁１０、１５の外周面の反対側に位置する第１の内周面と、下方傾斜壁１１の外周面の反対側に位置する第２の内周面と、起立壁１６の外周面の反対側に位置する第３の内周面と、両対向壁８、１３の外周面の反対側に位置する第４の内周面と、両対向壁９、１４の外周面の反対側に位置する第５の内周面と、第１および第２の仕切り壁２１、２２の下面とから形成される。両フレーム分割体６、７が接合されたときに、下方壁１０、１５の外周面の反対側に位置する第１の内周面は、同一の平面を形成する。同様に、両対向壁８、１３の外周面の反対側に位置する第４の内周面は、同一の平面を形成すると共に、両対向壁９、１４の外周面の反対側に位置する第５の内周面は、同一の平面を形成する。本実施形態における第１乃至第５の内周面は、本発明の複数の内周面の一例である。
【００４０】
段差部が、フレーム２の壁の外周面から構成される上記第１乃至第５の装着外周面に対応する収容室５０の第１乃至第５の内周面の中で、２つの内周面が連結する部分に設けられる。すなわち、段差部５１が、下方壁１０、１５の外周面の反対側に位置する第１の内周面と、下方傾斜壁１１の外周面の反対側に位置する第２の内周面とを連結する部分に設けられる。段差部５２が、第１の内周面と、起立壁１６の外周面の反対側に位置する第３の内周面とを連結する部分に設けられる。段差部５３が、第１の内周面と、両対向壁８、１３の外周面の反対側に位置する第４の内周面とを連結する部分に設けられる。段差部５４が、第１の内周面と、両対向壁９、１４の外周面の反対側に位置する第５の内周面とを連結する部分に設けられる。段差部５５が、第２の内周面と、第４の内周面とを連結する部分に設けられる。段差部５６が、第２の内周面と、第５の内周面とを連結する部分に設けられる。段差部５７が、第３の内周面と、第４の内周面とを連結する部分に設けられる。段差部５８が、第３の内周面と、第５の内周面とを連結する部分に設けられる。本実施形態では、段差部は、第１および第２の仕切り壁２１、２２の下面と、各内周面とを連結する部分には、設けられていない。
【００４１】
各段差部は、収容室５０の１つの内周面と、他の内周面とを連結する部分に設けられ、各内周面から起立する起立面を有する。１つの内周面から起立する起立面は、他の内周面に平行に形成される。たとえば、図５において、段差部５２は、下方壁１０、１５の外周面の反対側に位置する第１の内周面から起立する起立面５２Ａと、起立壁１６の外周面の反対側に位置する第３の内周面から起立する起立面５２Ｂとを有する。起立面５２Ａは、第３の内周面に平行に形成され、起立面５２Ｂは、第１の内周面に平行に形成される。また、段差部５１は、第１の内周面から傾斜して起立する起立面５１Ａと、下方傾斜壁１１の外周面の反対側に位置する第２の内周面から傾斜して起立する起立面５１Ｂとを有する。起立面５１Ａは、第２の内周面に平行に形成され、起立面５１Ｂは、第１の内周面に平行に形成される。同様に、他の段差部５３〜５８も、起立面を有し、１つの内周面から起立する起立面は、他の内周面に平行に形成される。
【００４２】
（永久磁石３の構成）
永久磁石３は、公知のネオジム磁石から構成され、所定の厚さを有する断面円形状をなす磁石である。本実施形態では、永久磁石３の厚さは、円形断面の直径よりも小さい。永久磁石３は、互いに異なる磁極、すなわちＮ極およびＳ極に磁化された２つの吸着面３Ａ、３Ｂを有する。２つの吸着面３Ａ、３Ｂは、収容室５０を形成する第１乃至第５の内周面とそれぞれ接触することができるように、各内周面より小さい。永久磁石３が収容室５０の１つの内周面から他の内周面へ転がって移動し易くするために、段差部５１〜５８が各内周面から起立する高さは、永久磁石３の厚さより小さい。本実施形態では、段差部５１〜５８の起立する高さは、永久磁石３の厚さの１／２より小さく設定される。ただ、段差部の起立する高さが、余りにも低いと、フレーム２の樹脂成型において寸法精度が低下するおそれがある。このため、段差部の起立する高さは、永久磁石３の厚さの１／３から１／２までの範囲に設定されることが好ましい。本実施形態における吸着面３Ａ、３Ｂは、本発明における永久磁石の磁極を有する面の一例である。
【００４３】
［メモ用紙保持具１の使用例］
（水平な平面体にメモ用紙を起立させて保持する使用例）
ユーザが、強磁性材料から構成される机の上板などの水平な平面体ＰＬの上面に、メモ用紙保持具１を装着する場合について説明する。ユーザが、メモ用紙ＭＰを保持部４０に挿入して保持した状態で、メモ用紙保持具１の下方壁１０、１５の外周面から構成される第１の装着外周面を、平面体ＰＬの上面に装着したときに、永久磁石３は、図５に示すように、第１の装着外周面の反対側に位置する収容室５０の第１の内周面と接触して位置する。このとき、永久磁石３は、収容部５０の下方壁１０、１５を通して磁力を及ぼし、第１の装着外周面を平面体ＰＬの上面に吸着させる。この結果、メモ用紙保持具１は、メモ用紙ＭＰを平面体ＰＬの上面から起立させた状態で保持することができ、ユーザは、起立しているメモ用紙ＭＰを見ることができる。
【００４４】
（水平な平面体にメモ用紙を倒して保持する使用例）
ユーザが、水平な平面体ＰＬの上面において、図５に示すメモ用紙保持具１の起立した状態から、反時計回り方向にメモ用紙保持具１を９０度回転させて装着する場合について説明する。ユーザが、メモ用紙保持具１を反時計回り方向に徐々に回転させると、第１の装着外周面の反対側に位置する第１の内周面に接触していた永久磁石３の一方の吸着面、たとえば吸着面３Ｂは、平面体ＰＬの上面から離れ、これに伴って、吸着面３Ｂと平面体ＰＬの上面との間に作用する吸着力は弱くなる。吸着力が弱くなると、永久磁石３は、その自重により、段差部５２の起立面５２Ａまで移動し、永久磁石３の厚さ方向の外周面が起立面５２Ａと接触する。この状態において、永久磁石３の他方の吸着面、たとえば吸着面３Ａは、平面体ＰＬの上面に近づき、これに伴って、吸着面３Ａと平面体ＰＬの上面との間に作用する吸着力は強くなる。吸着力が強くなると、永久磁石３は、図６に示すように、段差部５２の角部を支点として、反時計回り方向の回転モーメントを受ける。これにより、永久磁石３は、反時計回り方向に回転し、吸着面３Ａが、起立壁１６の外周面により構成される第３の装着外周面の反対側に位置する収容室５０の第３の内周面と接触して位置する。このとき、永久磁石３は、収容部５０の起立壁１６を通して磁力を及ぼし、第３の装着外周面を平面体ＰＬの上面に吸着させる。この結果、メモ用紙保持具１は、メモ用紙ＭＰを倒した状態、すなわちメモ用紙ＭＰの表面を平面体ＰＬの上面に沿う方向に広げた状態で保持することができ、ユーザは、平面体ＰＬの上面に沿って広げられたメモ用紙ＭＰの表面を見ることができる。
【００４５】
本実施形態では、段差部５２の起立面５２Ａの高さが、永久磁石３の厚さの１／２より小さい。このため、永久磁石３の厚さ方向の外周面が段差部５２と当接するとき、永久磁石３の重心は、図６において、段差部５２の角部よりも、下方壁１０、１５から離れて位置することになる。この状態において、永久磁石３は、上記吸着力に加えて、その自重により、反時計回り方向の回転モーメントを受ける。この結果、永久磁石３は、第３の装着外周面の反対側に位置する第３の内周面に向かって転がり易くなり、ユーザは、メモ用紙保持具１の装着位置を移動させることが容易となり、しかもその装着位置を確実に保持することができる。
【００４６】
（水平な平面体にメモ用紙を傾斜させて保持する使用例）
ユーザが、水平な平面体ＰＬの上面において、図５に示すメモ用紙保持具１の起立した状態から、時計回り方向にメモ用紙保持具１を回転させて装着する場合について説明する。ユーザが、メモ用紙保持具１を時計回り方向に徐々に回転させると、第１の装着外周面の反対側に位置する第１の内周面に接触していた永久磁石３の一方の吸着面、たとえば吸着面３Ｂは、平面体ＰＬの上面から離れ、これに伴って、吸着面３Ｂと平面体ＰＬの上面との間に作用する吸着力は弱くなる。吸着力が弱くなると、永久磁石３は、その自重により、段差部５１の起立面５１Ａまで移動し、永久磁石３の厚さ方向の外周面が起立面５１Ａと接触する。この状態において、永久磁石３の他方の吸着面、たとえば吸着面３Ａは、平面体ＰＬの上面に近づき、これに伴って、吸着面３Ａと平面体ＰＬの上面との間に作用する吸着力は強くなる。吸着力が強くなると、永久磁石３は、図７に示すように、段差部５１の角部を支点として、時計回り方向の回転モーメントを受ける。これにより、永久磁石３は、時計回り方向に回転し、吸着面３Ａが、下方傾斜壁１１の外周面により構成される第２の装着外周面の反対側に位置する収容室５０の第２の内周面と接触して位置する。このとき、永久磁石３は、収容部５０の下方傾斜壁１１を通して磁力を及ぼし、第２の装着外周面を平面体ＰＬの上面に吸着させる。この結果、メモ用紙保持具１は、メモ用紙ＭＰを平面体ＰＬの上面から斜め上方に位置させた状態で保持することができ、ユーザは、平面体ＰＬの上面から斜め上方に位置しているメモ用紙ＭＰを見ることができる。
【００４７】
本実施形態では、起立面５１Ａが、下方壁１０、１５の外周面により構成される第１の装着外周面の反対側に位置する第１の内周面から傾斜して起立していることから、永久磁石３の厚さ方向の外周面が起立面５１Ａと接触したときに、永久磁石３は、傾斜した起立面５１に従って、下方傾斜壁１１の外周面により構成される第２の装着外周面の反対側に位置する第２の内周面に向かって傾いた状態となる。この傾いた状態で、永久磁石３の吸着面３Ａは、平面体ＰＬの上面との間で作用する吸着力を受け、永久磁石３は、図７に示す時計回り方向に回転し易くなる。たとえば、第１の装着外周面の反対側に位置する第１の内周面から垂直に起立している垂直な起立面と、上記の傾斜した起立面５１Ａとを比較した場合、永久磁石３の厚さ方向の外周面が垂直な起立面と接触したとき、その永久磁石３の吸着面３Ａは、下方傾斜壁１１の外周面により構成される第２の装着外周面の反対側に位置する第２の内周面および平面体ＰＬの上面から離れて位置する。このため、吸着面３Ａに作用する吸着力は弱くなり、傾斜した起立面５１Ａと比較して、永久磁石３は時計回り方向に円滑に回転することができない。従って、起立面５１Ａが、第２の装着外周面の反対側に位置する第２の内周面と平行になるように傾斜していることは、永久磁石３が隣り合う２つの内周面の間で円滑に移動するために、きわめて有効である。
【００４８】
（垂直な平面体にメモ用紙を保持する使用例）
ユーザが、強磁性材料から構成される棚の側板などの垂直な平面体ＰＬの側面に、メモ用紙保持具１を装着する場合について説明する。ユーザが、メモ用紙ＭＰを保持部４０に挿入して保持した状態で、メモ用紙保持具１の対向壁９、１４の外周面から構成される第５の装着外周面を、垂直な平面体ＰＬの側面に装着したときに、永久磁石３は、図８に示すように、第５の装着外周面の反対側に位置する収容室５０の第５の内周面と接触して位置する。このとき、永久磁石３は、収容部５０の対向壁９、１４を通して磁力を及ぼし、第５の装着外周面を平面体ＰＬの側面に吸着させる。この結果、メモ用紙保持具１は、メモ用紙ＭＰの表面を平面体ＰＬの側面から側方に広げた状態で保持することができ、ユーザは、側方に広げられたメモ用紙ＭＰを見ることができる。
【００４９】
＜変形例＞
本発明は、本実施形態に限定されることはなく、その趣旨を逸脱しない範囲において種々の変形が可能である。以下にその変形の一例を述べる。
【００５０】
（１）本実施形態では、保持部４０が、メモ用紙ＭＰなどのシート状の被保持物を長溝に挿入して保持する構成であるが、この構成に限定されない。たとえば、保持部が、クリップ形式の構成であれば、被保持物として、帽子や小型のバックなどを保持する構成であっても良い。
【００５１】
（２）本実施形態では、保持部４０は、フレーム２の一部分を含んで一体的に構成されていたが、この構成に限定されない。たとえば、保持部は、収納室５０を構成するフレーム２の部分に対して、着脱可能に構成されても良い。また、保持部が複数種類用意されている場合には、被保持物に応じた保持部が、収納室５０を構成するフレーム２の部分に対して、交換可能に取り付けられる構成であっても良い。
【００５２】
（３）本実施形態では、フレーム２は合成樹脂材料から形成されているが、非磁性材料であれば、合成樹脂材料に限定されない。たとえば、ステンレス、アルミニウムなどの金属、陶器、紙類などの非磁性材料から、フレームが形成されても良い。
【００５３】
（４）本実施形態では、収納室５０は、５つの装着外周面の反対側に位置する５つの内周面と、仕切り壁２１、２２の下面とから構成される６面体形状であるが、この形状に限定されない。たとえば、収納室は、４つの内周面と、仕切り壁の下面とから構成される５面体形状でも、６つ以上の内周面と、仕切り壁の下面とから構成される多面体形状であっても良い。
【００５４】
（５）本実施形態では、永久磁石３は、所定の厚さを有する断面円形状をなす磁石であるが、断面形状が長方形であっても良い。また、永久磁石の厚さが、その縦および横の寸法より小さい形状に限定されない。たとえば、永久磁石の厚さが、縦および横の寸法と同じ形状であっても良い。
【００５５】
（６）本実施形態では、永久磁石３の吸着面３Ａ、３Ｂは、互いに異なる磁極を有する構成であるが、この構成に限定されない。たとえば、複数の異なる磁極が同じ吸着面に隣り合って配置される構成であっても良い。
【００５６】
（７）本実施形態では、収容室５０を構成する５つ内周面は、ほぼ平面をなしているが、この構成に限定されない。たとえば、永久磁石の吸着面が大きな曲率半径を有する曲面である場合には、収容室を構成する各内周面は、吸着面の形状に合わせて曲面であっても良い。
【００５７】
（８）本実施形態では、フレーム２の対向壁、下方壁などの壁の外周面から構成される第１乃至第５の装着外周面の全てが、ほぼ平面であるが、この構成に限定されない。たとえが、対向壁８、１３の外周面から構成される第４の装着外周面を、曲面で形成しても良い。この場合には、曲面の装着外周面と机の上板などの平面体の上面との間で、メモ用紙を挟持することができ、しかも両者の間に挟持されたメモ用紙を容易に取り出すことができる。
【符号の説明】
【００５８】
１    メモ用紙保持具
２    フレーム
３    永久磁石
３Ａ、３Ｂ    吸着面
４、５    突起板
４Ｂ、５Ｂ    多数のひげ状突起
６、７    フレーム分割体
８、９、１３、１４    対向壁
１０、１５    下方壁
１１    下方傾斜壁
１２    上方傾斜壁
１６    起立壁
２１、２２    仕切り壁
４０    保持部
４１、４１、４４、４５    直線切欠き部分
４３、４６    傾斜切欠き部分
５０    収容室
５１〜５８    段差部
５１Ａ、５１Ｂ、５２Ａ、５２Ｂ    起立面
ＭＰ    メモ用紙
ＰＬ    平面体
【図１】
2011079258.tif 000003
【図２】
2011079258.tif 000004
【図３】
2011079258.tif 000005
【図４】
2011079258.tif 000006
【図５】
2011079258.tif 000007
【図６】
2011079258.tif 000008
【図７】
2011079258.tif 000009
【図８】
2011079258.tif 000010